(57)【要約】【課題】傾斜を有するスレート屋根において、設置物を支持する支持部材を取り付ける際、スレート屋根と支持部材の間に取り付けるだけで、設置物の設置個所からの水漏れを確実に防止する。【解決手段】傾斜を有するスレート屋根２上に取り付けられる止水板１は、設置物３が上面側に載置され、スレート屋根２上に固定される固定部１１と、固定部の外側のうち、桁行方向の両側及び流れ方向水上側において連接すると共に上方に突出し、スレート屋根２から離間した突出部１４と、突出部１４の外側において、固定部１１の下面よりもスレート屋根２側に延び出て、スレート屋根２に当接する当接部１６と、固定部１１の流れ方向水上側に設けられ、スレート瓦２１間に挿し込まれる挿込部１７と、を有し、取付ネジによってスレート屋根上に固定された際、固定部１１が撓んでスレート屋根２上に当接すると共に、当接部１６がスレート屋根２に対して押し付けられる。【選択図】図７
2015227576.tif 000002
【特許請求の範囲】
【請求項１】
所定の傾斜を有し、複数の平板状のスレート瓦が流れ方向に重畳して葺かれたスレート屋根上において、所定の設置物の設置個所に取り付けられ、当該設置個所からの水漏れを防止する略平板状の止水板であって、
上記設置物が上面側に載置されると共に、取付ネジによって、上記スレート屋根上に上記設置物と共に固定される固定部と、
上記固定部の外側のうち、桁行方向の両側及び流れ方向水上側において連接すると共に、上方に突出し、上記スレート屋根から離間した突出部と、
上記突出部の外側のうち、桁行方向の両側において、上記固定部の下面よりも上記スレート屋根側に延び出て、上記スレート屋根に当接する一対の当接部と、
上記固定部の流れ方向水上側に設けられ、重畳する上記スレート瓦間に挿し込まれる挿込部と、を有し、
上記固定部が上記取付ネジによってスレート屋根上に固定された際、上記固定部が撓んで上記スレート屋根上に当接すると共に、上記一対の当接部が、当接する上記スレート屋根に対して押し付けられる、
ことを特徴とする止水板。
【請求項２】
上記突出部の桁行方向の両側から夫々、外側に延び出した一対の縁辺部、をさらに有し、
上記当接部は、上記一対の縁辺部の端部から、上記スレート屋根側に延び出ると共に、上記縁辺部の裏面側へ折り返されて、上記スレート屋根に当接する、
請求項１記載の止水板。
【請求項３】
上記当接部は、上記縁辺部の下面側と離間しつつ、鋭角に折り返されている、
請求項２記載の止水板。
【請求項４】
上記挿込部は、一の頂点を流れ方向水上側に向けた略三角形状からなる、
請求項１乃至３いずれかの項に記載の止水板。
【請求項５】
上記挿込部は、流れ方向水上側の端部が上面側に折り返されている、
請求項１乃至４いずれかの項に記載の止水板。
【請求項６】
上記止水板は鋼板からなる、
請求項１乃至５いずれかの項に記載の止水板。
【請求項７】
上記固定部の外側のうち、流れ方向水下側において、上記スレート屋根側に延び出したカバー部、をさらに有する、
請求項１乃至６いずれかの項に記載の止水板。
【請求項８】
所定の傾斜を有し、複数の平板状のスレート瓦が流れ方向に重畳して葺かれたスレート屋根上において、
所定の設置物が上面側に載置されると共に、取付ネジによって、上記スレート屋根上に上記設置物と共に固定される固定部と、
上記固定部の外側のうち、桁行方向の両側及び流れ方向水上側において連接すると共に、上方に突出し、上記スレート屋根から離間した突出部と、
上記突出部の外側のうち、桁行方向の両側において、上記固定部の下面よりも上記スレート屋根側に延び出て、上記スレート屋根に当接する一対の当接部と、
上記固定部の流れ方向水上側に設けられ、重畳する上記スレート瓦間に挿し込まれる挿込部と、を有する略平板状の止水板により、上記設置物の設置個所からの水漏れを防止する止水構造であって、
上記固定部が上記取付ネジによって上記スレート屋根上に固定されると共に、上記スレート屋根上に撓んで当接し、上記一対の当接部が、当接する上記スレート屋根に対して押し付けられている、
ことを特徴とする止水構造。
【発明の詳細な説明】
【技術分野】
【０００１】
本発明は、傾斜を有する屋根に設置物を設置する際に、当該設置物の設置個所から屋内に水が浸入するのを防止する技術に関する。
【背景技術】
【０００２】
従来、傾斜を有する屋根に太陽電池や太陽熱温水器等の設置物を設置する場合、この設置物や設置物を屋根上に支持する支持部材等を垂木や野地板に木ビス等で固定する必要がある。
例えば、傾斜を有するスレート瓦葺きの屋根では、桁行方向に隣接するスレート瓦同士が突き合わされる位置と垂木の位置が重なるようにスレート瓦が葺かれることが多いが、この場合、このスレート瓦同士が突き合わされる位置に、設置物をスレート瓦上に支持する支持部材等を固定するための木ビスが打ち込まれる。
【０００３】
このように木ビスが打ち込まれる場合、当該木ビスが打ち込まれる部分には雨漏りを防止する手段が必要となる。雨漏り防止の手段の一例としては、板状の鋼板等で木ビスが打ち込まれる部分の周辺を覆う手段があり、特許文献１では、屋根基体上に、隙間部を設けて並設させてなる２つの第１スレート系屋根材と、該第１スレート系屋根材の棟側に位置するとともに、前記隙間部の一方部を覆って配置された第２スレート系屋根材と、前記隙間部において前記第２スレート系屋根材で覆われていない他方部を覆い、且つ該他方部の少なくとも一部を埋めるように配置された粘着部材と、少なくとも該粘着部材上に配置された、前記他方部の全体を前記第１のスレート系屋根材の表側から覆った板状部材と、該板状部材上に配置された、光電変換モジュールを取り付けるための取付部材と、前記隙間部を前記第１スレート系屋根材の裏側から覆った防水シートと、前記取付部材、前記粘着部材、及び前記屋根基体を順に貫通するように配置されたネジ部材と、を有する光電変換モジュールの設置装置が提案されている。
また、特許文献２では、瓦上に載置可能な板金で構成され、前記板金の上面に上方へ突出しかつ前記板金の左端部から右端部に向かって斜め方向に延びる水切部を設け、前記板金の下面における左端部近傍及び右端部近傍に、前後方向に延びかつ下面に粘着剤を介して離型フィルムが剥離可能に貼り付けられた止水シートをそれぞれ貼り付けたことを特徴とする瓦用防水板金が提案されている。
【先行技術文献】
【特許文献】
【０００４】
【特許文献１】特許第５１７３３０４号公報
【特許文献２】実用新案登録第３１７８５９３号公報
【発明の概要】
【発明が解決しようとする課題】
【０００５】
しかしながら、上記特許文献１や上記特許文献２で提案されているような手段では結局、板状粘着部材や止水シートといった部材で水漏れ防止を担保する必要があるし、このような部材を用いるためにコストがかかるという問題がある。
【０００６】
そこで、本発明は、傾斜を有するスレート屋根において、設置物を支持する支持部材を取り付ける際に、スレート屋根と支持部材の間に取り付けるだけで、設置物の設置個所からの水漏れを確実に防止できる止水板及び止水構造を提供することを目的とする。
【課題を解決するための手段】
【０００７】
上記目的を達成するため、本発明の一の観点に係る止水板は、所定の傾斜を有し、複数の平板状のスレート瓦が流れ方向に重畳して葺かれたスレート屋根上において、所定の設置物の設置個所に取り付けられ、当該設置個所からの水漏れを防止する略平板状の止水板であって、上記設置物が上面側に載置されると共に、取付ネジによって、上記スレート屋根上に上記設置物と共に固定される固定部と、上記固定部の外側のうち、桁行方向の両側及び流れ方向水上側において連接すると共に、上方に突出し、上記スレート屋根から離間した突出部と、上記突出部の外側のうち、桁行方向の両側において、上記固定部の下面よりも上記スレート屋根側に延び出て、上記スレート屋根に当接する一対の当接部と、上記固定部の流れ方向水上側に設けられ、重畳する上記スレート瓦間に挿し込まれる挿込部と、を有し、上記固定部が上記取付ネジによってスレート屋根上に固定された際、上記固定部が撓んで上記スレート屋根上に当接すると共に、上記一対の当接部が、当接する上記スレート屋根に対して押し付けられることを特徴とする。
【０００８】
また、上記突出部の桁行方向の両側から夫々、外側に延び出した一対の縁辺部、をさらに有し、上記当接部は、上記一対の縁辺部の端部から、上記スレート屋根側に延び出ると共に、上記縁辺部の裏面側へ折り返されて、上記スレート屋根に当接するものとしてもよい。
【０００９】
また、上記当接部は、上記縁辺部の下面側と離間しつつ、鋭角に折り返されているものとしてもよい。
【００１０】
また、上記挿込部は、一の頂点を流れ方向水上側に向けた略三角形状からなるものとしてもよい。
【００１１】
また、上記挿込部は、流れ方向水上側の端部が上面側に折り返されているものとしてもよい。
【００１２】
また、上記止水板は鋼板からなるものとしてもよい。
【００１３】
また、上記固定部の外側のうち、流れ方向水下側において、上記スレート屋根側に延び出したカバー部、をさらに有するものとしてもよい。
【００１４】
また、本発明の別の観点に係る止水構造は、所定の傾斜を有し、複数の平板状のスレート瓦が流れ方向に重畳して葺かれたスレート屋根上において、所定の設置物が上面側に載置されると共に、取付ネジによって、上記スレート屋根上に上記設置物と共に固定される固定部と、上記固定部の外側のうち、桁行方向の両側及び流れ方向水上側において連接すると共に、上方に突出し、上記スレート屋根から離間した突出部と、上記突出部の外側のうち、桁行方向の両側において、上記固定部の下面よりも上記スレート屋根側に延び出て、上記スレート屋根に当接する一対の当接部と、上記固定部の流れ方向水上側に設けられ、重畳する上記スレート瓦間に挿し込まれる挿込部と、を有する略平板状の止水板により、上記設置物の設置個所からの水漏れを防止する止水構造であって、上記固定部が上記取付ネジによって上記スレート屋根上に固定されると共に、上記スレート屋根上に撓んで当接し、上記一対の当接部が、当接する上記スレート屋根に対して押し付けられていることを特徴とする。
【発明の効果】
【００１５】
本発明によれば、傾斜を有するスレート屋根において、設置物を支持する支持部材を取り付ける際、スレート屋根と支持部材の間に本発明に係る止水板を取り付けるだけで、設置物の設置個所からの水漏れを確実に防止できる。
また、止水シート等を別途取り付けなくとも、本発明に係る止水板のみによって確実に水漏れを防止することができるので、部材のコストの面でも優れている。
【図面の簡単な説明】
【００１６】
【図１】本発明の実施形態に係る止水板、及び当該止水板を用いた止水構造を示した斜視図である。
【図２】本実施形態に係る止水板、及び当該止水板を用いた止水構造を示した拡大斜視図である。
【図３】本実施形態に係る止水板を用いた止水構造を示した（ａ）側面図、（ｂ）断面図である。
【図４】本発明の第一の実施例に係る止水板を示した外観斜視図である。
【図５】本実施例に係る止水板を示した（ａ）Ａ−Ａ断面図、（ｂ）Ｂ−Ｂ断面図、（ｃ）Ｃ−Ｃ断面図である。
【図６】本実施例に係る止水板をスレート屋根に取り付ける工程を示した側面図である。
【図７】本実施例に係る止水板をスレート屋根に取り付ける工程を示した外観斜視図である。
【図８】本実施例に係る止水板をスレート屋根に取り付ける工程を示したＤ−Ｄ断面図である。
【図９】本実施例に係る止水板上に設置金具を取り付けた状態を示した断面図である。
【図１０】本発明の第二の実施例に係る止水板を示した（ａ）外観斜視図、（ｂ）Ｅ−Ｅ断面図である。
【図１１】本発明の第三の実施例に係る止水板を示した（ａ）外観斜視図、（ｂ）Ｆ−Ｆ断面図である。
【図１２】本発明の第四の実施例に係る止水板を示した（ａ）外観斜視図、（ｂ）Ｇ−Ｇ断面図である。
【図１３】本発明の第五の実施例に係る止水板を示した（ａ）外観斜視図、（ｂ）Ｈ−Ｈ断面図である。
【図１４】本発明の第六の実施例に係る止水板を示した（ａ）外観斜視図、（ｂ）Ｉ−Ｉ断面図である。
【図１５】本発明の第七の実施例に係る止水板を示した（ａ）外観斜視図、（ｂ）Ｊ−Ｊ断面図である。
【発明を実施するための形態】
【００１７】
以下、本発明の実施形態に係る止水板について、図を参照して説明する。
図１〜図３に示されるように、本実施形態に係る止水板１は、所定の傾斜を有したスレート屋根２上に設置物５が設置された際、スレート屋根２上を横走りする雨水等が、当該設置物５の設置個所から屋内に浸入し、水漏れを惹き起こすのを防止するために取り付けられる板状の部材である。
【００１８】
ここで、止水板１が取り付けられるスレート屋根２は、屋根全面を覆う野地板２２上に、複数の平板状のスレート瓦２１を葺いた屋根であり、野地板２２はさらに、屋根の流れ方向水上側から水下側に向けて平行に複数本配置された垂木２３の上に木ビスや釘等で固定されている。
このスレート屋根２は、流れ方向と直交する桁行方向においてはスレート瓦２１が複数、互いに重畳することなく隣接して葺かれている。また、流れ方向においては、隣接するスレート瓦２１のうち、水下側のスレート瓦２１の上に水上側のスレート瓦２１の端部が部分的に重畳して葺かれている。さらにこの流れ方向においては、桁行方向において隣接する水下側の一対のスレート瓦２１間の境界部分に、水上側のスレート瓦２１の略中央部分が重なるように葺かれている。
【００１９】
設置金具３は、縦材４及び設置物５をスレート屋根２上に支持及び固定するために、止水板１を介してスレート屋根２上に取り付けられる金具である。この設置金具３は金属を成形加工したものであり、矩形状の基底部３１と、この基底部３１上に立設して形成された一対の立設部３２と、この立設部３２の上端において縦材４を支持する一対の支持部３３とを備える。
【００２０】
基底部３１の両端部には夫々、取付ネジ３１ｂを通すための取付孔３１ａが設けられている。
また、一対の支持部３３間は開口部３３ａを構成し、この開口部３３ａからは、締結ボルト３３ｂの軸部分が上方に突出している。この締結ボルト３３ｂはその頭部分が、一対の支持部３３間から上方へ抜出不能に支持部３３の下面側に納められている。
【００２１】
この設置金具３は、止水板１上に載置されると共に、取付孔３１ａに通された取付ネジ３１ｂが、止水板１に設けられている取付孔１１ａに連通してスレート屋根２にねじ込まれることによって、スレート屋根２上に固定される。また、締結ボルト３３ｂが、縦材４の締結孔４１ａに通されると共に、ナット３３ｃで締結されることによって、設置金具３上に支持された縦材４が固定される。
【００２２】
縦材４は、その上に設置物５を支持するための部材であって、設置金具３上に固定される。
本例における縦材４は、中空の直方体形状からなる棒状部材であり、下端の基底部４１は、設置金具３の支持部３３上に支持される部分であって、設置金具３の設置間隔に応じて、締結ボルト３３ｂを通すための締結孔４１ａが設けられている。また、上面には長さ方向に開口した開口部４２ａが形成されており、この開口部４２ａの両脇の水平面は、設置物５を載置するための載置部４２を構成する。
【００２３】
また、この縦材４は設置金具３上に載置され、設置金具３に取り付けられた締結ボルト３３ｂを基底部４１の締結孔４１ａに通すと共にナット３３ｃでネジ止めすることにより、設置金具３上に固定される。また、この縦材４の載置部４２上に設置物５を載置し、予め設置物５のフレーム等に設けられている締結孔と、載置部４２間の開口部４２ａとに所定の締結ボルトを連通させ、ナット等でネジ止めすることにより、縦材４上に設置物５が固定される。
【００２４】
設置物５は例えば、太陽電池モジュールや太陽熱温水器など、広く屋根上に設置される構造物を指し、特に限定されないが、本例では太陽電池モジュールを示している。
本例の設置物５として示された太陽電池モジュールは、太陽電池素子を枠状のフレームで囲った構造からなり、設置金具３と縦材４により、スレート屋根２上に設置されている。詳細には、設置物５を縦材４上に設置するための締結孔がフレーム等に予め設けられており、この締結孔と、縦材４の載置部４２間の開口部４２ａに締結ボルトを通した上、ナット等でネジ止めすることにより、縦材４上に設置物５が固定される。
【００２５】
なお、本実施形態における設置金具３、縦材４、及び設置物５の構造、及びこれらの部材を固定する構造は一例であり、止水板１上に設置金具３が載置され、この設置金具３上に設置物５が直接、あるいは縦材４を介して固定される限り、他の構造についても本発明は適用可能である。また、設置金具３、縦材４、及び設置物５は、それぞれ別部材として用意されたものであってもよいし、一体的に構成された部材であっても構わない。
【００２６】
以上の構成からなる設置金具３、縦材４、及び設置物５において、スレート屋根２上に設置物５が設置される際には、流れ方向において重畳するスレート瓦２１の間に、止水板１の一端部が挿し込まれ、この止水板１上に順次、設置金具３、縦材４、設置物５が固定される。
ここで、スレート屋根２上において止水板１が取り付けられる位置は、止水板１を介して設置金具３が設置される位置に対応する。即ち本実施形態では、設置金具３をスレート屋根２上に取り付けるための取付ネジ３１ｂが、桁行方向に隣接する一対のスレート瓦２１間を貫いて野地板２２に固定される。そのため、この桁行方向に隣接する一対のスレート瓦２１間に止水板１が載置されると共に、この一対のスレート瓦２１とその水上側に葺かれているスレート瓦２１の間に止水板１の端部が挿し込まれる。
【実施例１】
【００２７】
次に、第一の実施例に係る止水板１について説明する。
本例に係る止水板１は、図４に示されるように略五角形様の平板形状からなり、一枚の矩形状の金属板を成形加工して作製された鋼板である。
【００２８】
この止水板１は、設置金具３が上面側に載置されると共に、スレート屋根２上に固定される固定部１１、固定部１１の流れ方向水下側において、一旦上方に折曲して段を形成すると共に流れ方向水下側へ延び出した延出部１２、延出部１２の流れ方向水下側の端部から下方へ延び出たカバー部１３、固定部１１の桁行方向両側及び流れ方向水上側の三方に設けられた突出部１４、桁行方向の両端部を構成する縁辺部１５、縁辺部１５の端部において、縁辺部１５の下面側へ折り返された当接部１６、流れ方向水上側に設けられ、重畳するスレート瓦２１間に挿し込まれる挿込部１７、及び、挿込部１７の先端において挿込部１７の上面側へ折り返された折返部１８からなる。
【００２９】
固定部１１は、延出部１２と突出部１４によって四方を囲われている。
この固定部１１には、上面側に載置された設置金具３を固定するため、設置金具３の取付孔３１ａに対応した位置に、取付ネジ３１ｂを通すための取付孔１１ａが設けられている。本例では、設置金具３に設けられている一対の取付孔３１ａに応じて、止水板１の長さ方向に並んで二つの取付孔１１ａが設けられている。
【００３０】
カバー部１３は図５（ｂ）に示されるように、下端部が固定部１１や縁辺部１５の下面よりも下方あるいはスレート屋根２側へ延び出しており、止水板１がスレート屋根２に取り付けられた際には、流れ方向水下側から、止水板１とスレート瓦２１の間に雨水等が浸入するのを防ぐ。
【００３１】
突出部１４は、固定部１１の桁行方向両側及び流れ方向水上側に連接して設けられていると共に、上方に弧状に突出した部分である。この突出部１４は、固定部１１の流れ方向水上側に設けられている水上側突出部１４１と、固定部１１の桁行方向両側に設けられている桁行側突出部１４２によって構成される。
また、この突出部１４は、下面側が図５（ａ）、図５（ｃ）に示されるように開放されており、その断面は略半筒形状からなる。これにより、止水板１がスレート屋根２に取り付けられた際には、この突出部１４とスレート瓦２１の間に、上方へ溝状に窪んだ空隙が形成される。
【００３２】
縁辺部１５は、桁行側突出部１４２から外側へ延び出した部分であると共に、止水板１の幅方向両端側を構成する部分であり、その下面は固定部１１の下面と同一面上にある。
この縁辺部１５の端部には、固定部１１の下面よりもスレート屋根２側に延び出すと共に、縁辺部１５の下面側へ鋭角に折り返された当接部１６が連設している。
【００３３】
当接部１６は、縁辺部１５の下面と当接しておらず、縁辺部１５と当接する向きにかかる荷重に対しては、当該荷重に抗する向きに反発する。
また、この当接部１６は、止水板１がスレート屋根２に取り付けられた際には、その端部がスレート屋根２の上面に当接する。そして、取付ネジ３１ｂによって固定部１１上に設置金具３が固定された際には、当接部１６は、全体がスレート屋根２の上面に当接した状態となる。
【００３４】
挿込部１７は、先端部分が、流れ方向水上側に頂点を向けた略三角形状からなる。
この挿込部１７は、水上側突出部１４１に連接して流れ方向水上側に延び出ており、止水板１がスレート屋根２に取り付けられる際、流れ方向において重畳するスレート瓦２１間に挿し込まれる。
また、この挿込部１７は、その下面が固定部１１の下面と同一面上にあり、その先端部分には、挿込部１７の上面側へ折り返された折返部１８が連設している。
【００３５】
次に、止水板１をスレート屋根２に取り付ける工程と共に、止水板１が取り付けられたスレート屋根２における止水構造について説明する。
まず、止水板１をスレート屋根２に取り付ける場合、図６に示されるように、流れ方向において重畳して葺かれたスレート瓦２１について、水上側のスレート瓦２１の端部を持ち上げ、重畳するスレート瓦２１間に止水板１の挿込部１７を挿し込む。
【００３６】
なお、この止水板１は図７に示されるように、桁行方向において隣接する一対のスレート瓦２１間の境界線と、止水板１の幅方向の中心が略一致するように、当該スレート瓦２１間の境界を覆う位置に取り付けられる。このとき、止水板１の固定部１１の長さ方向に並んで設けられた一対の取付孔１１ａは、下面側に敷設されている一対のスレート瓦２１間の境界部分に対応する位置をとる。
【００３７】
止水板１を重畳するスレート瓦２１間に挿し込んだ後、持ち上げていた水上側のスレート瓦２１を元に戻すと、止水板１は重畳するスレート瓦２１間に挟持された状態となる。
【００３８】
この状態において、止水板１の桁行方向の端部では、当接部１６がスレート屋根２に当接している。もっともこの段階では、止水板１は図８に示されるように、挿込部１７が重畳するスレート瓦２１間に挟持されているだけであり、当接部１６の反発力によって、固定部１１の下面側、縁辺部１５、及び挿込部１７の下面側はスレート屋根２の上面から少し浮いた状態となっている。
また、止水板１のカバー部１３は、止水板１の下面側のスレート瓦２１の水下側端部よりも僅かに水下側にはみ出した位置にある。
【００３９】
続けて、設置金具３を固定部１１上に載置する。そして、スレート屋根２において、固定部１１の取付孔１１ａと設置金具３の取付孔３１ａに対応する位置にネジ孔を適宜設けるなどした上、図９に示されるように、固定部１１の取付孔１１ａと設置金具３の取付孔３１ａに取付ネジ３１ｂを通すと共に、取付ネジ３１ｂをスレート屋根２に適宜設けられたネジ孔にネジ止めする。これにより、止水板１と設置金具３がスレート屋根２上に一体的に固定される。
【００４０】
ここで、取付ネジ３１ｂによるネジ止め作業は、当接部１６による反発力に抗して行われる。取付ネジ３１ｂによってネジ止め作業が完了した際には、固定部１１は下方に押し下げられて撓み、スレート瓦２１に当接する。一方、当接部１６は全体がスレート屋根２の上面に当接した状態となる。
【００４１】
また、止水板１の下面側のスレート瓦２１の水下側端部よりも僅かに水下側にはみ出した位置にあった止水板１のカバー部１３は、その先端部が、スレート瓦２１の上面よりもスレート屋根２側へ押し下げられる。これによりカバー部１３は止水板１とスレート瓦２１の間を覆い隠し、スレート屋根２に跳ね返されたり、風に煽られたりした雨水等が、流れ方向水下側から、止水板１とスレート瓦２１の間に浸入して水漏れを惹き起こすのを防ぐことができる。
【００４２】
この状態からさらに、設置金具３上に縦材４と設置物５が載置された後、締結ボルト３３ｂ等によってこれらが一体的にスレート屋根２上に固定される。
【００４３】
このように止水板１上と共に設置物５がスレート屋根２上に固定された場合に、スレート屋根２上を伝う雨水等による雨漏りが防がれる作用について言及すると、止水板１の幅方向あるいは桁行方向から止水板１の下面側に浸入してくる水は、スレート瓦２１と当接部１６が当接している箇所を伝い、流れ方向水下側へ排出される。即ち、当接部１６がスレート屋根２の上面に当接する一方、突出部１４が設けられている箇所では、止水板１とスレート瓦２１が当接していないため、桁行方向から浸入してくる水は毛細管現象によって、スレート瓦２１と止水板１が当接している当接部１６を伝い、突出部１４よりも内側には浸入することがない。その結果、屋内に水が浸入する入り口となる取付孔１１ａまで水が浸入することがなく、水漏れを防ぐことができる。
【００４４】
また、止水板１は、固定部１１、縁辺部１５、及び挿込部１７を撓ませつつ、縁辺部１５の下面側へ折り返されている当接部１６の反発力に抗して、スレート屋根２上に固定されている。そのため、当接部１６はスレート瓦２１に対してより強く押し付けられた状態となっている。その結果、雨水等が当接部１６よりも内側へ侵入するのをより効果的に防ぐことができる。
【００４５】
また、止水板１の流れ方向水下側からは、スレート屋根２の傾斜によってそもそも水が浸入しにくいが、カバー部１３によって止水板１とスレート瓦２１の境界部分が覆われているため、風によって雨水が吹き上げられるようなことがあっても、流れ方向水下側からの水の浸入を防ぐことができる。
【００４６】
また、止水板１の流れ方向水上側も、止水板１の上面側にスレート瓦２１が覆い被さっているためにそもそも水が浸入しにくいが、風によって雨水が吹き上げられるなどして、止水板１の上面側のスレート瓦２１と止水板１の間から流れ方向水上側へ水が浸入してくるようなことがあっても、挿込部１７の上面側へ折り返された折返部１８が設けられているため、この折返部１８によって水の浸入を防ぐことができる。
【００４７】
さらに、止水板１とスレート瓦２１の間のみならず、止水板１の上面側を風によって横走りしてくる雨水等に対しても、上方に突出した突出部１４によって固定部１１に水が浸入するのを妨げることができ、やはり水漏れを防止することができる。
【実施例２】
【００４８】
次に、第二の実施例に係る止水板６１について説明する。
本例に係る止水板６１は図１０に示されるように、矩形の略平板形状からなり、一枚の矩形状の金属板を成形加工等して作製される。
【００４９】
この止水板６１は、設置金具３が上面側に載置されると共に、スレート屋根２上に固定される固定部６１１、固定部６１１の周囲において、一旦上方に折曲して段を形成すると共に外側へ延び出した縁辺部６１２、縁辺部６１２の桁行方向の両端部において、縁辺部６１２の下面側へ折り返された当接部６１３からなる。
【００５０】
固定部６１１は、周囲の縁辺部６１２よりもスレート屋根２側へ窪んでいる。
この固定部６１１には、上面側に載置された設置金具３を固定するため、設置金具３の取付孔３１ａに対応した位置に、取付ネジ３１ｂを通すための取付孔６１１ａが一対、設けられている。
【００５１】
固定部６１１に連接する縁辺部６１２は、固定部６１１よりも上方にある。
この縁辺部６１２の桁行方向の両端部には、固定部６１１の下面よりもスレート屋根２側に延び出すと共に、縁辺部６１２の下面側へ鋭角に折り返された当接部６１３が連設している。
【００５２】
当接部６１３の先端は、固定部６１１の下面に対応する位置よりもさらにスレート屋根２側へ延び出した位置にある。
【００５３】
このような構成からなる止水板６１は、スレート屋根２に取り付けられる場合、第一の実施例に係る止水板１と同様、長さ方向の一端部が、重畳するスレート瓦２１間に挿し込まれる。
なお、スレート屋根２上における止水板６１の取付位置は、第一の実施例に係る止水板１と同様である。
【００５４】
止水板６１がスレート瓦２１間に挟持された状態から、固定部６１１上に設置金具３が載置され、設置金具３と止水板６１がスレート屋根２上に一体的に固定されると、第一の実施例に係る止水板１と同様、当接部６１１は全体がスレート屋根２の上面に当接する。また、併せて固定部６１１も下方に押し下げられてスレート瓦２１に当接する。
【００５５】
この状態からさらに、設置金具３上に順次、縦材４と設置物５が取り付けられると、スレート屋根２上への設置物５の設置が完了する。
この第二の実施例に係る止水板６１、及び止水板６１を用いた止水構造においても、スレート瓦２１と当接部６１３が当接している一方、縁辺部６１２の下面側がスレート屋根２と当接していないことから、止水板６１の幅方向あるいは桁行方向から止水板６１の下面側に浸入してくる水は、スレート瓦２１と当接部６１３が当接している箇所を伝い、当接部６１３よりも内側へ侵入することなく、流れ方向水下側へ排出される。
また、止水板６１も、固定部６１１及び縁辺部６１２を撓ませつつ、当接部６１３の反発力に抗して、スレート屋根２上に固定されている。そのため、当接部６１３はスレート瓦２１に対して強く押し付けられた状態となっており、雨水等が当接部６１３よりも内側へ侵入するのをより効果的に防ぐことができる。
【実施例３】
【００５６】
次に、第三の実施例に係る止水板６２について説明する。
本例に係る止水板６２は図１１に示されるように、矩形の略平板形状からなり、一枚の矩形状の金属板を成形加工等して作製される。
【００５７】
この止水板６２は、設置金具３が上面側に載置されると共に、スレート屋根２上に固定される固定部６２１、固定部６２１の周囲において、一旦上方に折曲して段を形成すると共に外側へ延び出した縁辺部６２２、縁辺部６２２の桁行方向の両端部において、スレート屋根２側へ直角に折り返された当接部６２３からなる。
【００５８】
止水板６１と同様、固定部６２１は、周囲の縁辺部６２２よりもスレート屋根２側へ窪んでおり、設置金具３の取付孔３１ａに対応して取付孔６２１ａが一対、設けられている。
また、固定部６２１に連接する縁辺部６２２は固定部６２１よりも上方にある。
この縁辺部６２２の桁行方向の両端部には、スレート屋根２側へ、固定部６２１の下面の位置まで延び出した当接部６２３が連設している。
【００５９】
このような構成からなる止水板６２は、スレート屋根２に取り付けられる場合、第一の実施例に係る止水板１と同様、長さ方向の一端部が、重畳するスレート瓦２１間に挿し込まれる。
なお、スレート屋根２上における止水板６２の取付位置は、第一の実施例に係る止水板１と同様である。
【００６０】
そして、止水板６２がスレート瓦２１間に挟持された状態から、固定部６２１上に設置金具３が載置され、設置金具３と止水板６２がスレート屋根２上に一体的に固定される。このとき、当接部６２３の先端はスレート瓦２１に当接している。
【００６１】
この状態からさらに、設置金具３上に順次、縦材４と設置物５が取り付けられると、スレート屋根２上への設置物５の設置が完了する。
この第三の実施例に係る止水板６２、及び止水板６２を用いた止水構造においても、スレート瓦２１と当接部６２３が当接している一方、縁辺部６２２の下面側がスレート屋根２と当接していないことから、止水板６２の幅方向あるいは桁行方向から止水板６２の下面側に浸入してくる水は、スレート瓦２１と当接部６２３が当接している箇所を伝い、当接部６２３よりも内側へ侵入することなく、流れ方向水下側へ排出される。
【実施例４】
【００６２】
次に、第四の実施例に係る止水板６３について説明する。
本例に係る止水板６３は図１２に示されるように、二等辺三角形の略平板形状からなり、一枚の矩形状の金属板を成形加工等して作製される。
【００６３】
この止水板６３は、設置金具３が上面側に載置されると共に、スレート屋根２上に固定される固定部６３１、固定部６３１の周囲において、一旦上方に折曲して段を形成すると共に外側へ延び出した縁辺部６３２、縁辺部６３２の桁行方向の両端部及び流れ方向水上側の端部において、スレート屋根２側へ直角に折り返された当接部６３３からなる。
【００６４】
止水板６１と同様、固定部６３１は、周囲の縁辺部６３２よりもスレート屋根２側へ窪んでおり、設置金具３の取付孔３１ａに対応して取付孔６３１ａが一対、設けられている。
また、固定部６３１に連接する縁辺部６３２は固定部６３１よりも上方にある。
この縁辺部６３２の桁行方向の両端部及び流れ方向水上側の端部には、スレート屋根２側へ、固定部６３１の下面の位置まで延び出した当接部６３３が連設している。
【００６５】
このような構成からなる止水板６３は、スレート屋根２に取り付けられる場合、第一の実施例に係る止水板１と同様、二等辺三角形の頂角側が、重畳するスレート瓦２１間に挿し込まれる。
なお、スレート屋根２上における止水板６３の取付位置は、第一の実施例に係る止水板１と同様である。
【００６６】
そして、止水板６３がスレート瓦２１間に挟持された状態から、固定部６３１上に設置金具３が載置され、設置金具３と止水板６３がスレート屋根２上に一体的に固定される。このとき、当接部６３３の先端はスレート瓦２１に当接している。
【００６７】
この状態からさらに、設置金具３上に順次、縦材４と設置物５が取り付けられると、スレート屋根２上への設置物５の設置が完了する。
この第四の実施例に係る止水板６３、及び止水板６３を用いた止水構造においても、スレート瓦２１と当接部６３３が当接している一方、縁辺部６３２の下面側がスレート屋根２と当接していないことから、止水板６３の幅方向、即ち桁行方向から止水板６３の下面側に浸入してくる水は、スレート瓦２１と当接部６３３が当接している箇所を伝い、当接部６３３よりも内側へ侵入することなく、流れ方向水下側へ排出される。
また、当接部６３３が、流れ方向水上側においてもスレート瓦２１と当接しているため、流れ方向水上側から侵入してくる水も、当接部６３３とスレート瓦２１が当接している箇所を伝って、流れ方向水下側へ排出される。
さらに、重畳するスレート瓦２１間に挿し込まれる部分が二等辺三角形の頂角に当たるため、重畳するスレート瓦２１間に止水板６３を挿し込みやすい。
なお、本例では、止水板６３を二等辺三角形に構成したが、これに限らず、正三角形など他の三角形に構成することもできる。
【実施例５】
【００６８】
次に、第五の実施例に係る止水板６４について説明する。
本例に係る止水板６４は図１３に示されるように、二等辺三角形の略平板形状からなり、一枚の矩形状の金属板を成形加工等して作製される。
【００６９】
この止水板６４は、設置金具３が上面側に載置されると共に、スレート屋根２上に固定される固定部６４１、固定部６４１の周囲において、一旦上方へ所定の角度で折曲すると共に外側へ延び出した縁辺部６４２、縁辺部６４２の桁行方向の両端部及び流れ方向水上側の端部において、縁辺部６４２の下面側へ折り返された当接部６４３からなる。
【００７０】
止水板６１と同様、固定部６４１は、周囲の縁辺部６４２よりもスレート屋根２側へ窪んでおり、設置金具３の取付孔３１ａに対応して取付孔６４１ａが一対、設けられている。
また、固定部６４１に連接する縁辺部６４２は固定部６４１よりも上方にある。
この縁辺部６４２の桁行方向の両端部及び流れ方向水上側の端部には、スレート屋根２側へ、固定部６４１の下面の位置までスレート屋根２側に延び出すと共に、縁辺部６４２の下面側へ鋭角に折り返された当接部６４３が連設している。
【００７１】
このような構成からなる止水板６４は、スレート屋根２に取り付けられる場合、第一の実施例に係る止水板１と同様、二等辺三角形の頂角側が、重畳するスレート瓦２１間に挿し込まれる。
なお、スレート屋根２上における止水板６４の取付位置は、第一の実施例に係る止水板１と同様である。
【００７２】
そして、止水板６４がスレート瓦２１間に挟持された状態から、固定部６４１上に設置金具３が載置され、設置金具３と止水板６４がスレート屋根２上に一体的に固定される。このとき、当接部６４３の先端はスレート瓦２１に当接している。
【００７３】
この状態からさらに、設置金具３上に順次、縦材４と設置物５が取り付けられると、スレート屋根２上への設置物５の設置が完了する。
この第五の実施例に係る止水板６４、及び止水板６４を用いた止水構造においても、第四の実施例に係る止水板６３の場合と同様、スレート瓦２１と当接部６４３が当接している一方、縁辺部６４２の下面側がスレート屋根２と当接していないことから、桁行方向及び流れ方向水上側から止水板６４の下面側に浸入してくる水は、スレート瓦２１と当接部６４３が当接している箇所を伝い、当接部６４３よりも内側へ侵入することなく、流れ方向水下側へ排出される。また同様に、重畳するスレート瓦２１間に挿し込まれる部分が二等辺三角形の頂角に当たるため、重畳するスレート瓦２１間に止水板６４を挿し込みやすい。
さらに、当接部６４３は縁辺部６４２の下面側へ折り返されているため、当接部６４３とスレート瓦２１が当接する面積が広い。その結果、止水板１の下面側への水の浸入をより確実に防ぐことができる。
なお、本例では、止水板６４を二等辺三角形に構成したが、これに限らず、正三角形など他の三角形に構成することもできる。
【実施例６】
【００７４】
次に、第六の実施例に係る止水板６５について説明する。
本例に係る止水板６５は図１４に示されるように、矩形の略平板形状からなり、一枚の矩形状の金属板を成形加工等して作製される。
【００７５】
この止水板６５は、設置金具３が上面側に載置されると共に、スレート屋根２上に固定される固定部６５１、固定部６５１の周囲において、一旦上方に折曲して段を形成すると共に外側へ延び出した縁辺部６５２、縁辺部６５２の桁行方向の両端部において、さらに上方へ所定の角度で突出した突出部６５３、突出部６５３の端部から突出部６５３の下面側へ僅かに折り返された当接部６５４からなる。
【００７６】
固定部６５１は、周囲の縁辺部６５２よりもスレート屋根２側へ窪んでいる。
この固定部６５１には、上面側に載置された設置金具３を固定するため、設置金具３の取付孔３１ａに対応した位置に、取付ネジ３１ｂを通すための取付孔６５１ａが一対、設けられている。
【００７７】
固定部６５１に連接する縁辺部６５２は、固定部６５１よりも上方にある。
この縁辺部６５２の桁行方向の両端部には、上方へ所定の角度で突出した突出部６５３が連設している。
【００７８】
突出部６５３には、固定部６５１の下面の位置までスレート屋根２側へ延び出すと共に、突出部６５３の下面側へ僅かに折り返された当接部６５４が連設している。
【００７９】
このような構成からなる止水板６５は、スレート屋根２に取り付けられる場合、第一の実施例に係る止水板１と同様、長さ方向の一端部が、重畳するスレート瓦２１間に挿し込まれる。
なお、スレート屋根２上における止水板６５の取付位置は、第一の実施例に係る止水板１と同様である。
【００８０】
そして、止水板６５がスレート瓦２１間に挟持された状態から、固定部６５１上に設置金具３が載置され、設置金具３と止水板６５がスレート屋根２上に一体的に固定される。このとき、当接部６５４の先端はスレート瓦２１に当接している。
【００８１】
この状態からさらに、設置金具３上に順次、縦材４と設置物５が取り付けられると、スレート屋根２上への設置物５の設置が完了する。
この第六の実施例に係る止水板６５、及び止水板６５を用いた止水構造においても、スレート瓦２１と当接部６５４が当接している一方、縁辺部６５２の下面側がスレート屋根２と当接していないことから、止水板６５の幅方向、即ち桁行方向から止水板６５の下面側に浸入してくる水は、スレート瓦２１と当接部６５４が当接している箇所を伝い、当接部６５４よりも内側へ侵入することなく、流れ方向水下側へ排出される。
また、縁辺部６５２よりもさらに上方へ突出した突出部６５３が設けられているため、止水板６５の上面側を風によって横走りしてくる雨水等に対しても、突出部６５３によって固定部６５１に水が浸入するのを妨げることができ、やはり水漏れを防止することができる。
【実施例７】
【００８２】
次に、第七の実施例に係る止水板６６について説明する。
本例に係る止水板６６は図１５に示されるように、矩形の略平板形状からなり、一枚の矩形状の金属板を成形加工等して作製される。
【００８３】
この止水板６６は、設置金具３が上面側に載置されると共に、スレート屋根２上に固定される固定部６６１、固定部６６１の桁行方向の両端部において、スレート屋根２側へ直角に折り返された当接部６６２からなる。なお、この止水板６６を用いて提供される止水構造においては、固定部６６１の下面とスレート瓦２１との間に、略直方体状の樹脂製のスペーサが挟持される。
【００８４】
固定部６６１には、設置金具３の取付孔３１ａに対応して取付孔６６１ａが一対、設けられている。
また、固定部６６１の桁行方向の両端部には、スレート屋根２側へ、固定部６６１の下面の位置まで延び出した当接部６６２が連設している。
また、固定部６６１とスレート瓦２１との間に挟持されるスペーサ６６３には適宜、取付孔６６１ａに対応した取付孔が予め設けられている。
【００８５】
このような構成からなる止水板６６は、スレート屋根２に取り付けられる場合、第一の実施例に係る止水板１と同様、長さ方向の一端部が、重畳するスレート瓦２１間に挿し込まれる。このとき、固定部６６１とスレート瓦２１との間には、スペーサ６６３が挟持される。
なお、スレート屋根２上における止水板６６の取付位置は、第一の実施例に係る止水板１と同様である。
【００８６】
そして、止水板６６がスレート瓦２１間に挟持された状態から、固定部６６１上に設置金具３が載置され、設置金具３と止水板６６がスレート屋根２上に一体的に固定される。このとき、当接部６６２の先端はスレート瓦２１に当接している。
【００８７】
この状態からさらに、設置金具３上に順次、縦材４と設置物５が取り付けられると、スレート屋根２上への設置物５の設置が完了する。
この第七の実施例に係る止水板６６、及び止水板６６を用いた止水構造においても、スレート瓦２１と当接部６６２が当接している一方、縁辺部６６２の下面側において、スレート屋根２と当接していない部分が設けられることから、止水板６６の幅方向、即ち桁行方向から止水板６６の下面側に浸入してくる水は、スレート瓦２１と当接部６６２が当接している箇所を伝い、当接部６６２よりも内側へ侵入することなく、流れ方向水下側へ排出される。
また、本例においても、設置金具３と止水板６６をスレート屋根２上に一体的にネジ止めする取付ネジ３１ｂによって、スレート屋根２に設けられるネジ孔の周囲が、スペーサ６６３によって覆われるので、このネジ孔への水の浸入を防ぐことができる。
【符号の説明】
【００８８】
１      止水板
１１    固定部
１１ａ  取付孔
１２    延出部
１３    カバー部
１４    突出部
１４１  水上側突出部
１４２  桁行側突出部
１５    縁辺部
１６    当接部
１７    挿込部
１８    折返部
２      スレート屋根
２１    スレート瓦
２２    野地板
２３    垂木
３      設置金具
４      縦材
５      設置物
６１    止水板
６２    止水板
６３    止水板
６４    止水板
６５    止水板
６６    止水板
【図１】
2015227576.tif 000003
【図２】
2015227576.tif 000004
【図３】
2015227576.tif 000005
【図４】
2015227576.tif 000006
【図５】
2015227576.tif 000007
【図６】
2015227576.tif 000008
【図７】
2015227576.tif 000009
【図８】
2015227576.tif 000010
【図９】
2015227576.tif 000011
【図１０】
2015227576.tif 000012
【図１１】
2015227576.tif 000013
【図１２】
2015227576.tif 000014
【図１３】
2015227576.tif 000015
【図１４】
2015227576.tif 000016
【図１５】
2015227576.tif 000017